(57)【特許請求の範囲】
【請求項１】
内燃機関に取り付けられてクランク軸により駆動される可変容量型内接歯車ポンプであって、
吸入ポートと吐出ポートとポンプ室とを備えるハウジングと、ハウジング内に収容されるアウターロータと、アウターロータを収容する偏心リングと、アウターロータに噛み合うクランク軸に接続されたインナーロータと、アウターロータを吸入ポート側に付勢する弾性部材とを備えてなり、
吐出ポートにおける液体圧力が高くなった際には偏心リングが弾性部材の付勢力に抗して吐出ポート側へ移動するものであり、
弾性部材の先端側において偏心リングに接し得るカム部材を設け、当該カム部材の形状を偏心リングが弾性部材の付勢力に抗して吐出ポート側へ移動することで当該カム部材と偏心リングの外周との接触位置が変化し得る凸形状或いは凹形状とすることにより、内燃機関の一定の回転数までは回転数に比例して吐出液圧は上昇し、一定の回転数に到達するとクランク軸の一回転当たりの液体の吐出量が減じられて回転数の上昇と吐出量の減少とが相殺されることにより吐出液圧が横ばいの状態となるか或いは吐出液圧の上昇度合いが緩慢となるように液体の吐出量が可変になることを特徴とする可変容量型内接歯車ポンプ。
【発明の詳細な説明】
【技術分野】
【０００１】
本発明は、内燃機関や自動変速機などにおける潤滑油や作動油などを送り出す可変容量型内接歯車ポンプに関するものである。
【背景技術】
【０００２】
従来、この種の可変容量型内接歯車ポンプ（以下、内接歯車ポンプと称する）としては、例えば特許文献１のもののように、ポンプボディ内にカムリングを揺動移動自在に保持し、駆動軸にインナーロータを係合し、インナーロータと噛み合う内接歯型のアウターロータをカムリング内に回転自在に保持したものが知られている。特許文献１に記載のものでは、吐出口の圧力が設定圧力以上に上昇した時、カムリングをポンプボディの内孔内の径方向に揺動移動させることにより、ポンプの歯高さを公転直径としインナーロータの回転中心位置を公転中心として、アウターロータの回転中心位置を公転させる。これによって、ポンプボディに固定して配置された、吸入領域上に相対し位置するインナーロータの外歯とアウターロータの内歯とにより形成される油移送溜まり部の容積を変化させて吐出量を可変にする構成である。
【０００３】
具体的には、吐出口の圧力は駆動軸の回転速度に依存する。そして圧力は設定圧力までは比例して上昇する挙動を示すが、設定圧力以上に上昇すると、油移送溜まり部の容積を減じることにより駆動軸一回転当たりの吐出量を減じることにより、例えば可変バルブタイミング機構を作動させるに足るような所要の吐出量で保持する。これにより、回転数上昇に伴う無駄な吐出量の上昇を回避し得るようになっている。
【０００４】
しかしながら実際には、回転数のさらなる上昇に伴って必要となる内燃機関の冷却のために高回転数の場合ではより吐出量を上昇させたり、或いは他の要因によって吐出量を抑えたりするなど、内燃機関の回転数に応じて所要の潤滑油の吐出量に調整し得るものが求められている。
【先行技術文献】
【特許文献】
【０００５】
【特許文献１】特開平８‐１５９０４６号公報
【発明の概要】
【発明が解決しようとする課題】
【０００６】
本発明は、上述の点に着目したものであり、内燃機関の回転数に応じた所要の吐出量に調整し得る可変容量型内接歯車ポンプを提供することを目的としている。
【課題を解決するための手段】
【０００７】
本発明は、このような目的を達成するために、次のような手段を講じたものである。
【０００８】
すなわち本発明に係る可変容量型内接歯車ポンプは、内燃機関に取り付けられてクランク軸により駆動される可変容量型内接歯車ポンプであって、吸入ポートと吐出ポートとポンプ室とを備えるハウジングと、ハウジング内に収容されるアウターロータと、アウターロータを収容する偏心リングと、アウターロータに噛み合うクランク軸に接続されたインナーロータと、アウターロータを吸入ポート側に付勢する弾性部材とを備えてなり、吐出ポートにおける液体圧力が高くなった際には偏心リングが弾性部材の付勢力に抗して吐出ポート側へ移動するものであり、弾性部材の先端側において偏心リングに接し得るカム部材を設け、当該カム部材の形状を偏心リングが弾性部材の付勢力に抗して吐出ポート側へ移動することで当該カム部材と偏心リングの外周との接触位置が変化し得る凸形状或いは凹形状とすることにより、内燃機関の一定の回転数までは回転数に比例して吐出液圧は上昇し、一定の回転数に到達するとクランク軸の一回転当たりの液体の吐出量が減じられて回転数の上昇と吐出量の減少とが相殺されることにより吐出液圧が横ばいの状態となるか或いは吐出液圧の上昇度合いが緩慢となるように液体の吐出量が可変になることを特徴とする。
【０００９】
このようなものであれば、当該カム部材の形状を偏心リングが弾性部材の付勢力に抗して吐出ポート側へ移動することで当該カム部材と偏心リングの外周との接触位置が変化し得る形状とし、偏心リングの位置に応じて接触位置を適宜調節することにより、所要の液体の吐出量に調整し得ることを実現する可変容量型内接歯車ポンプが実現可能となる。
【発明の効果】
【００１０】
本発明によれば、内燃機関の回転数に応じて所要の潤滑油の吐出量に調整し得るものを実現する可変容量型内接歯車ポンプを提供することができる。
【図面の簡単な説明】
【００１１】
【図１】本発明の第一実施形態の内部構成を示す平面図。
【図２】同実施形態の断面図。
【図３】同実施形態の吐出量が最少となる場合の内部構成を示す平面図。
【図４】同実施形態に係るグラフ。
【図５】同実施形態に係る要部の動作説明図。
【図６】本発明の第二実施形態の内部構造を示す平面図。
【図７】同実施形態の吐出量が最小となる場合の内部構成を示す平面図。
【図８】同実施形態に係るグラフ。
【図９】同実施形態に係る要部の動作説明図。
【発明を実施するための形態】
【００１２】
以下、本発明の一実施形態を、図面を参照して説明する。
【００１３】
この実施形態の可変容量型の内接歯車ポンプ（以下、内接歯車ポンプと称する）１００は、自動車の内燃機関たるエンジンに取り付けられてクランク軸１により駆動されるもので、エンジンの潤滑系統に液体である潤滑油を供給するものである。内接歯車ポンプ１００は、吸入ポート２と吐出ポート３とポンプ室４とを備えるハウジング５と、ハウジング５内に収容されるアウターロータ６と、アウターロータ６に噛み合うインナーロータ７と、アウターロータ６の外周に嵌められる偏心リング８と、アウターロータ６を吸入ポート２側に付勢する弾性部材であるスプリング９とを備えている。
【００１４】
ハウジング５は、アウターロータ６、インナーロータ７及びスプリング９を収容するケース部１０と、そのケース部１０を閉じるようにして取り付けられるカバー部１１とを備えている。ケース部１０は、そのほぼ中央位置に、アウターロータ６、インナーロータ７及び偏心リング８を収容するポンプ室４を備えるとともに、スプリング９を収納するスプリング室１３を備える。これに加えて、ケース部１０は、図示しないストレーナが接続される吸入部に連通する連通孔１５と、連通孔１５からスプリング室１３に潤滑油を導く導入路１６とを備えている。また、連通孔１５に通じポンプ室４の吸入ポート２側に潤滑油を導く導入路５１を備えている。
【００１５】
ポンプ室４は平面視において、中心の異なる複数の円弧を連続させるようにして内周壁４１の形状が決定されている。ポンプ室４の内径は、偏心リング８の外形より大きいものである。なお、初期位置２２とは、吐出ポート３側の潤滑油の圧力が低く、スプリング９の付勢力により偏心リング８すなわちアウターロータ６が後述する吸入ポート２側に付勢されている場合に、アウターロータ６が留まっている位置（の中心）である。又、９０°移動位置２６とは、後述する吐出ポート３側の潤滑油の圧力が最大になった場合に、アウターロータ６がスプリング９の付勢力に抗して移動した際の位置（の中心）である。ここで、矢印はアウターロータ６の回転中心の移動軌跡である。アウターロータ６は、初期位置２２から９０°移動位置２６まで図示の矢印に概ね沿って公転するようになっている。
【００１６】
スプリング室１３は、スプリング９を収容するもので、そのポンプ室４側の端部には、スプリング９の端部に設けられるカム部材たる間座２８を収容する小室２９を備えている。このスプリング室１３の小室２９に導入路１６の一端が接続され、初期位置２２にアウターロータ６がある場合に、間座２８のスプリング９側に潤滑油が導入される。スプリング室１３は、ポンプ室４と連通している。これにより、ポンプ室４の内周壁４１と偏心リング８の外周面との間には潤滑油が存在することになる。また、ポンプ室４の内周壁４１のうち吸入ポート２側に設けた導入路５１により９０°移動位置２６にアウターロータ６がある場合やアウターロータ６が初期位置から９０°移動位置２６に到る途中の位置にある場合においても、ポンプ室４の内周壁４１と偏心リング８の外周面との間には潤滑油が存在することになる。
【００１７】
カバー部１１は、図２そのケース部１０に対向する第一面に、インナーロータ７のための軸孔３０の周囲に設けられる吸入ポート２と吐出ポート３とを備えている。
【００１８】
アウターロータ６は、外形を真円とするもので、内歯歯車である。これに対して、インナーロータ７は、アウターロータ６の内歯に噛み合う外歯歯車であり、歯数はアウターロータ６のそれより一つ少ない。偏心リング８は、外形がほぼ真円の円環状のもので、内径をアウターロータ６の外径とほぼ同一としている。
【００１９】
また詳細は後述するが、本実施形態では、偏心リング８の間座２８に対応する位置では、偏心リングの８外周面８ａが、スプリング９先端の間座２８に平面視で点接触すなわち線接触し、偏心リング８の動作に応じてその接触位置ａ（図５）が変り得るように構成してある。
【００２０】
このような構成において、スプリング室１３にスプリング９を挿入し、ポンプ室４に偏心リング８を外周に嵌めたアウターロータ６を入れ、そのアウターロータ６の内側にインナーロータ７を挿入する。この状態でカバー部１１をケース部１０に固定して、ポンプ室４を実質的に閉じる。インナーロータ７は、クランク軸１に接続されるものである。
【００２１】
このようにして組み立てられて、アウターロータ６が初期位置（の中心）２２である状態では、アウターロータ６の内歯とインナーロータ７の外歯とが、吸入ポート２と吐出ポート３とが最も近接しつつ対向する間にある部分において完全に噛み合う。
【００２２】
この初期位置２２において、偏心リング８の外周は、吸入ポート２寄りの位置に内周壁４１に接触している。この実施形態では、インナーロータ７が、図１において、反時計回転方向に回転するものである。初期位置においては、インナーロータ７とアウターロータ６とは、上述したように一歯のみが完全に隙間なく噛み合い、他の内歯及び外歯との間には空隙４２が形成される。初期位置２２において静止している状態では、空隙４２は、その噛み合い箇所４３から回転方向に移動するにしたがって大きく、つまり吸入ポート２に沿って大きくなり、噛み合い箇所４３と対向する位置において最大となる。そして、空隙４２が最大になる位置からさらに回転方向に移動するにしたがって、つまり吐出ポート３に沿って移動するにしたがって小さくなる。
【００２３】
以上に説明した初期位置２２から、インナーロータ７が回転すると、吸入ポート２に潤滑油が導かれ、吸入ポート２の位置にある空隙４２に入る。空隙４２に吸入された潤滑油は、空隙４２が吐出ポート３の位置まで移動することにより、空隙４２の容積が小さくなることで吐出される。このようにして、潤滑油を潤滑系統に供給することにより、潤滑状態に応じて吐出ポート３側において潤滑油の油圧が上昇する。
【００２４】
油圧の上昇に伴って、吐出ポート３内の油圧が上昇し、その結果、吐出ポート３に接続されている空隙４２内の圧力が上昇する。これにより、アウターロータ６は、内歯と外歯とが完全に噛み合う噛み合い箇所４３を支点として、インナーロータ７とアウターロータ６との偏心量を公転半径とし、インナーロータ７の回転中心を公転中心としてスプリング９の弾性力に抗してインナーロータ７と同じ回転方向に移動する。この場合、偏心リング８の外周壁がポンプ室４の内周壁４１が所定隙間５２を維持した状態で回転方向に移動しながら、アウターロータ６が移動するものである。このようにしてアウターロータ６の中心が９０°移動位置（の中心）２６に向かって移動することにより、吸入ポート２の位置にある空隙４２が小さくなっていく。つまり、吸入ポート２の位置の空隙４２の容積が減少し、吸入する潤滑油の油量、したがって吐出する油量（吐出量）が減少していく。
【００２５】
そして、さらに吐出ポート３内の油圧が上昇して最大になると、アウターロータ６は９０°移動位置２６に到達する。この間、つまり初期位置２２から９０°移動位置２６へ移動する間、偏心リング８は、ポンプ室４の内周壁４１に所定隙間５２を維持した状態で近接しており、最終的にはアウターロータ６が９０°移動位置２６にある状態で吸入ポート寄りの位置にほぼ密着する。すなわちアウターロータ６が９０°移動位置２６に達した状態では、吸入ポート２の位置にある空隙４２が最少になるため、吸入量が最少となって吐出量が最少となる。このため、潤滑系統における潤滑油の消費量が降下するのに対応して、吐出ポート３側における圧力も降下し、アウターロータ６はスプリング９の弾性力により初期位置２２に向かって付勢される。
【００２６】
このように、吐出ポート３側の圧力が上昇することにより、噛み合い箇所４３を支点とする回転力がアウターロータ６に作用し、アウターロータ６がインナーロータ７と同じ方向に回転する。これにより偏心リング８がスプリング９の弾性力に抗して移動する。この場合に偏心リング８が吐出ポート３側に向かって移動する。
【００２７】
しかして本実施形態ではエンジンが、図示しない可変バルブタイミング機構を備えている。この可変バルブタイミング機構とは、作動油の油圧により図示しない吸気カムシャフト及び排気カムシャフトとの間に所望の回転位相差を生じさせて、バルブタイミングを可変制御するものである。
【００２８】
この可変バルブタイミング機構を行なうためには所定圧力以上の潤滑油の吐出油圧を要する。すなわち本実施形態では上述の通り、クランク軸１の回転数上昇に起因する吐出ポート３側の圧力が一定以上上昇すると吐出量を減じるようにすることにより、この可変バルブタイミング機構を行ない得るまでの油圧を無駄なく獲得しつつ、無駄な吐出油圧の上昇を回避し得るようにしている。
【００２９】
しかして本実施形態では、偏心リング８がスプリング９の付勢力に抗して吐出ポート３側へ移動することで当該間座２８と偏心リング８の外周面８ａとの接触位置ａが変化することにより、液体たる潤滑油の吐出量が可変になることを特徴とするものである。
【００３０】
本実施形態では図１及び図３に示すように、間座２８において偏心リング８に当接する面を凸面２８ａとしている。これにより、クランク軸１の回転数上昇により図３に示す矢印に沿って偏心リング８が動作する際には、吐出油圧が図４に示すように変化する。
【００３１】
具体的には同図に示すように、一定の回転数までは図１に示す所期位置２２で潤滑油を吐出するため、回転数に比例して吐出油圧は上昇する。しかしスプリング９を弾性付勢し移動させ得るＶＶＴ作動油圧に該当する回転数に到達すると、偏心リング８の移動に伴いクランク軸１の一回転当たりの潤滑油の吐出量が減じられるために、回転数の上昇と吐出量の減少とが相殺されることにより吐出油圧が横ばいの状態となる。これにより、斯かる回転数領域に於いては可変バルブタイミング機構を作動させ得る吐出油圧を確保しつつ不要なそれ以上の吐出油圧の上昇が抑制される。しかしながら回転数がさらに上昇すると、エンジンの温度上昇を抑制することとより潤滑を促すために、再び吐出油圧は再び上昇に転じるようになる。
【００３２】
このことは、図５に示す間座２８の凸面２８ａと偏心リング８の外周面８ａとの接触位置ａが、同図左側に示す初期位置から一旦、図示中央に示す一方側へ凸面２８ａにおいて徐々に没入していく向きに移動すること偏心リング８の移動が凸面２８ａの形状によって促されるために吐出油圧の抑制度合いが強く起こる。しかる後にある回転数を超えると、図示左側に示す９０°移動位置２６へ向かって他方側へ、すなわち凸面２８ａにおいて徐々に隆起していく向きに接触位置ａが移動することにより偏心リング８の移動が凸面２８ａの形状に妨げられる分、回転数の上昇に対する吸入ポート２の位置の空隙４２の容積の減少度合いが追いつかなくなるので、再び吐出油圧は上昇するようになる。これにより、可変バルブタイミング機構を作動させ得る吐出油圧の確保と、高回転域での潤滑油の速やかな供給とを両立させ得るものとなっている。
【００３３】
このように、本実施形態によれば、カム部材たる間座２８の凸面２８ａと外周面８ａとの接触位置ａを変更させることによって回転数の上昇に伴う吐出油圧の抑制の度合いを変動させることにより、回転数に応じた所要の吐出油圧の獲得を実現している。具体的には、可変バルブタイミング機構を作動させ得る吐出油圧の確保と、高回転域での潤滑油の速やかな供給とを両立させ得るものとしている。
【００３４】
＜第二実施形態＞
以下に、本実施形態の第二実施形態について説明する。本実施形態において、上記第一実施形態の構成要素に相当するものについては同じ符号を付すとともに、その詳細な説明を省略する。
【００３５】
本実施形態に係る内接歯車ポンプ１００は、間座２８の形状が凸面ではなく凹面とすることにより、接触位置ｂの移動による偏心リング８ａが移動する挙動が異なる以外は、上記実施形態のそれと共通する。また内燃機関が可変バルブタイミング機構を備えている点も同様である。
【００３６】
つまり本実施形態では、間座２８において偏心リング８の外周面８ａに接触する凹面８ｂを設けることによって、クランク軸１の回転数に応じた所要の潤滑油の吐出圧力を得るようにしている。以下、具体的に説明する。
【００３７】
本実施形態では図６及び図７に示すように、間座２８において偏心リング８に当接する面を凹面２８ｂとしている。この凹面２８ｂを形成する曲率は、具体的には偏心リング８の外周面８ａの曲率よりも小さく設定している。換言すれば凹面２８ａの曲率半径は外周面８ａの曲率半径よりも大きく設定している。
【００３８】
そしてクランク軸１の回転数上昇により図３に示す矢印に沿って偏心リング８が動作する際には、吐出油圧が図８に示すように変化する。
【００３９】
具体的には同図に示すように、一定の回転数までは図１に示す所期位置２２で潤滑油を吐出するため、回転数に比例して吐出油圧は上昇する。しかしスプリング９を弾性付勢し移動させ得るＶＶＴ作動油圧に該当する回転数に到達すると、偏心リング８の移動に伴いクランク軸１の一回転当たりの潤滑油の吐出量が減じられるために、回転数の上昇と吐出量の減少が相殺することにより吐出油圧の上昇度合いが緩慢となるが、第一実施形態ほどには吐出油圧の上昇は抑制されない。これにより、斯かる回転数領域に於いては可変バルブタイミング機構を行ない得る吐出油圧を十分に確保している。しかしながら回転数がさらに上昇すると、さらに吐出油圧の上昇度合いが抑制されていき、高回転域では吐出油圧は略横ばいとなる。
【００４０】
このことは、図９に示す間座２８の凹面２８ｂと偏心リング８の外周面８ａとの接触位置ｂが、同図左側に示す初期位置から一旦、図示中央に示すように一方側へ凹面２８ｂにおいて徐々に隆起していく向きに移動すること偏心リング８の移動が凹面２８ｂの形状によって抑制されるために吐出油圧の抑制度合いが緩やかながら起こる。しかる後にある回転数を超えると、図示右側へ示す９０°移動位置２６へ向かって他方側へ、すなわち凹面２８ｂにおいて徐々に没入していく向きに接触位置ｂが移動することにより偏心リング８の移動が凹面２８ｂの形状に促される分、回転数の上昇に対する吸入ポート２の位置の空隙４２の容積の減少度合いが強くなる。これにより、可変バルブタイミング機構を作動させ得る吐出油圧の確保と、高回転域での潤滑油の過度な供給の抑制とを両立させ得るものとなっている。
【００４１】
このように、本実施形態によれば、カム部材たる間座２８の凹面２８ｂと外周面８ａとの接触位置ｂを変更させることによって回転数の上昇に伴う吐出油圧の抑制の度合いを変動させることにより、回転数に応じた所要の吐出油圧の獲得を実現している。具体的には、可変バルブタイミング機構を作動させ得る吐出油圧の確保と、高回転域での潤滑油の過度な供給の抑制とを両立させ得るものとしている。
【００４２】
以上、本発明の実施形態について説明したが、各部の具体的な構成は、上述した実施形態のみに限定されるものではなく、本発明の趣旨を逸脱しない範囲で種々変形が可能である。
【００４３】
例えば、上記実施形態においては、ハウジングをエンジンとは個別の部材で構成するものを説明したが、エンジンのシリンダブロックと、シリンダブロックに取り付けられるチェーンカバーとでハウジングを構成するものであってよい。さらには上記実施形態ではカム部材には凸面、凹面の何れかを設けた態様を開示したが、所要の吐出油圧を得るべく、凹凸を組み合わせるような形状であっても良い。また歯車の歯数や間座に設ける凹面、凸面の曲率といった具体的な態様は上記実施形態のものに限定されることはなく、既存のものを含め、種々の態様のものを適用することができる。
【００４４】
その他、各部の具体的構成についても上記実施形態に限られるものではなく、本発明の趣旨を逸脱しない範囲で種々変形が可能である。
【産業上の利用可能性】
【００４５】
本発明は内燃機関や自動変速機などにおける潤滑油や作動油などを送り出す可変容量型内接歯車ポンプとして利用することができる。
【符号の説明】
【００４６】
２…吸入ポート
３…吐出ポート
４…ポンプ室
５…ハウジング
６…アウターロータ
７…インナーロータ
８…偏心リング
９…弾性部材（スプリング）
２８…カム部材（間座）
１００…可変容量型内接歯車ポンプ（内接歯車ポンプ）
【図１】
0005881371.tif 000002
【図２】
0005881371.tif 000003
【図３】
0005881371.tif 000004
【図４】
0005881371.tif 000005
【図５】
0005881371.tif 000006
【図６】
0005881371.tif 000007
【図７】
0005881371.tif 000008
【図８】
0005881371.tif 000009
【図９】
0005881371.tif 000010